(57)【要約】【課題】移動体端末がＧＰＳ信号を受信できない場合は、取得できる位置情報自体にズレが生じる。また、無線サーバや無線基地局の設置してある位置の付近の移動体端末の正確で詳細な現在位置の情報を取得することが困難である。【解決手段】携帯端末１０ｂは、無線発信装置３２が発信している位置情報及び所定の情報を受信すると、無線発信装置３２の位置情報と所定の情報（ここでは、店舗等のＵＲＬ）をメモリに保存する。この位置情報は、無線発信装置３２の設置場所を予め測定した極めて正確で詳細な情報である。携帯端末１０ｂは、受信した位置情報及びＵＲＬを利用して、例えばインターネットを介してサーバに接続し、位置情報に対応したＵＲＬの既存の店舗等のホームページを検索し、そのホームページから所望の情報を取得することができる。無線発信装置３２は、基地局３１のサービスエリアＡ１の範囲外に設置することもできる。【選択図】            図１
2005005941.tif 000002
【特許請求の範囲】
【請求項１】
基地局との間で無線通信し、該基地局を介して網に接続された相手端末と所定の通信を行う移動体端末の位置情報を受信する位置情報受信システムであって、
前記基地局の送受信周波数及び該基地局の第１のサービスエリアとは異なる送信周波数及び第２のサービスエリアを有して、前記基地局とは独立して任意の場所に設置され、予め測定されたその設置場所の位置情報と所定の情報とを、前記送信周波数で送信する無線発信装置を有し、
前記移動体端末は、前記無線発信装置の第２のサービスエリア内に在圏するときに、前記無線発信装置から送信された前記位置情報及び所定の情報を受信する受信手段と、受信した該位置情報及び所定の情報に基づいて通信ネットワークに接続する接続手段とを有することを特徴とする位置情報受信システム。
【請求項２】
前記移動体端末は、前記受信手段により受信した前記位置情報及び所定の情報を保存して履歴として残す記憶手段を更に有することを特徴とする請求項１記載の位置情報受信システム。
【請求項３】
前記無線発信装置は、前記位置情報と共に送信する前記所定の情報として店舗等の施設の情報を送信すると共に、該施設の情報に、該施設の分類を示す識別子を付加して送信し、前記移動体端末は、該識別子単位で前記記憶手段に前記位置情報及び所定の情報を保存することを特徴とする請求項２記載の位置情報受信システム。
【請求項４】
前記移動体端末は、前記識別子に基づき受信した前記位置情報及び所定の情報を、前記記憶手段に保存して履歴として残すか否かを区別する判別手段を有することを特徴とする請求項３記載の位置情報受信システム。
【請求項５】
前記所定の情報は、前記位置情報に関連した前記施設を検索できる前記通信ネットワークに接続されたホームページのＵＲＬ情報であることを特徴とする請求項１記載の位置情報受信システム。
【請求項６】
前記第２のサービスエリアは、前記第１のサービスエリアよりも狭く設定されていることを特徴とする請求項１乃至５のうちいずれか一項記載の位置情報受信システム。
【発明の詳細な説明】
【０００１】
【発明の属する技術分野】
本発明は位置情報受信システムに係り、特に簡易的な位置情報を携帯電話機等の移動体端末が取得する位置情報受信システムに関する。
【０００２】
【従来の技術】
従来より携帯電話機等の移動体端末が現在の位置情報を取得する位置情報受信システムが種々提案されている（例えば、特許文献１、２、３参照）。すなわち、特許文献１には、移動体端末からインターネット等の通信ネットワークに接続して、通信ネットワークに接続されたＷＷＷサーバ等の情報提供装置から、現在位置の情報に対応する地域の店舗、駅等の所定の情報を得る位置情報受信システムにおいて、移動体端末が全地球測位システム（ＧＰＳ：Ｇｌｏｂａｌ  Ｐｏｓｉｔｉｏｎｉｎｇ  Ｓｙｓｔｅｍ）などから取得した現在位置情報を利用し、現在位置周辺に存在する店舗や各種機関などの近傍を当該移動体端末が通過するときに、当該移動体端末に対して、プロバイダのサーバ（情報提供装置）が電話回線や無線を介して、事前に通信ネットワーク上に用意されている、店舗や各種機関（駅、市役所、保健所、税務署など）の情報を送信する構成の位置情報受信システムが開示されている。
【０００３】
また、特許文献２には、広域無線網を介して地域情報検索サービスを提供する情報サーバと、該情報サーバの地域情報検索サービスを利用する無線端末（移動体端末）と、近傍に位置する無線端末ユーザへ所望の広告情報を呈示するために設置された無線サーバ（例えば、店舗サーバ）とを含む無線ネットワークシステムが位置情報受信システムとして開示されている。この従来の位置情報受信システムでは、無線端末が無線サーバから受信した位置情報を用いて、地域情報サーバから検索した地域情報（例えば、最寄りの店舗の情報など）やそれに付随して地域情報サーバから渡された広告情報を表示画面に表示する。
【０００４】
更に、特許文献３には、配信する地域を指定した広告データを作成するための情報入力端末と、通信ネットワークを介して情報入力端末と接続され、広告データを管理する集中管理サーバと、通信ネットワークを介して集中管理サーバと接続され、広告データを配信する地域ごとに配置された無線基地局と一体化され、当該無線基地局のエリア内にある携帯端末（移動体端末）に広告データを配信する地域配信サーバとを有し、地域配信サーバには建造物等の位置情報がリンクし、位置情報を条件に規定して広告データを配信する構成の位置情報受信システムが開示されている。
【０００５】
【特許文献１】
特開２００１−１３４６１８号公報
【特許文献２】
特開２００１−２２３７１２号公報
【特許文献３】
特開２００２−００９６９１号公報
【０００６】
【発明が解決しようとする課題】
しかるに、上記の特許文献１記載の従来の位置情報受信システムでは、移動体端末内のＧＰＳ受信機にて、ＧＰＳの一部を構成する人工衛星（ＧＰＳ衛星）から送信されたＧＰＳ信号を受信し、それを解析することで位置情報を取得しているが、ビルの谷間や建物の中、あるいは地下街などではＧＰＳ信号を受信できないため、取得できる位置情報自体にズレが生じる。
【０００７】
また、特許文献２及び３記載の従来の位置情報受信システムでは、店舗などに設置された無線サーバのエリア内や、無線基地局と一体化された地域配信サーバから、その無線基地局のエリア内にある位置情報を移動体端末が取得する構成であり、無線サーバや無線基地局の設置してある位置の付近を現在位置としているため、エリア内にいることはわかっても、移動体端末の正確で詳細な現在位置の情報を取得することが困難である。
【０００８】
本発明は以上の点に鑑みなされたもので、移動体通信システムを構成する無線基地局とは別の無線電波を利用して、移動体端末の詳細な現在位置を簡易的に受信し得る位置情報受信システムを提供することを目的とする。
【０００９】
【課題を解決するための手段】
本発明は上記の目的を達成するため、基地局との間で無線通信し、基地局を介して網に接続された相手端末と所定の通信を行う移動体端末の位置情報を受信する位置情報受信システムであって、基地局の送受信周波数及び基地局の第１のサービスエリアとは異なる送信周波数及び第２のサービスエリアを有して、基地局とは独立して任意の場所に設置され、予め測定されたその設置場所の位置情報と所定の情報とを、送信周波数で送信する無線発信装置を有し、上記の移動体端末は、無線発信装置の第２のサービスエリア内に在圏するときに、無線発信装置から送信された位置情報及び所定の情報を受信する受信手段と、受信した位置情報及び所定の情報に基づいて通信ネットワークに接続する接続手段とを有する構成としたものである。
【００１０】
この発明では、移動体端末は移動体通信システムを構成する基地局とは別に設けられた無線発信装置から送信された位置情報及び所定の情報を受信し、その位置情報及び所定の情報に基づいて、インターネット等の通信ネットワークに接続するようにしたため、通信ネットワークを介して位置情報に関連した所望の情報を取得することができる。
【００１１】
ここで、上記の移動体端末は、受信手段により受信した位置情報及び所定の情報を保存して履歴として残す記憶手段を更に有することを特徴とする。これにより、基地局の第１のサービスエリア外に位置するときでも、無線発信装置から位置情報を取得することができる。
【００１２】
また、上記の目的を達成するため、本発明は、無線発信装置を、位置情報と共に送信する所定の情報として店舗等の施設の情報を送信すると共に、施設の情報に、施設の分類を示す識別子を付加して送信する構成とし、移動体端末は、識別子単位で記憶手段に位置情報及び所定の情報を保存することを特徴とする。この発明では、識別子単位で履歴を保存することができる。
【００１３】
ここで、上記の移動体端末は、識別子に基づき受信した位置情報及び所定の情報を、記憶手段に保存して履歴として残すか否かを区別する判別手段を有してもよい。また、上記の所定の情報は、位置情報に関連した施設を検索できる通信ネットワークに接続されたホームページのＵＲＬ情報であってもよい。この発明では、施設の情報を通信ネットワークのホームページから取得することができる。
【００１４】
更に、本発明は、無線発信装置の第２のサービスエリアは、基地局の第１のサービスエリアよりも狭く設定されていることを特徴とする。これにより、無線発信装置から送信される位置情報等の受信範囲が狭いため、誤差の小さな位置情報を得ることができる。
【００１５】
【発明の実施の形態】
次に、本発明の実施の形態について図面と共に説明する。図１は本発明になる位置情報受信システムの第１の実施の形態のシステム構成図を示す。同図において、本実施の形態は移動体通信システムに適用した例で、移動体端末の一例としての携帯端末１０ａ及び１０ｂと、基地局３１と、無線発信装置３２とから構成されている。ここで、基地局３１は自身の電波が届く範囲（サービスエリア）Ａ１内に在圏する携帯端末１０ａ及び１０ｂとの間で公知の無線通信を行い、携帯端末１０ａ及び１０ｂに対して位置登録を行ったり、図示しない網に接続された端末と携帯端末１０ａ及び１０ｂとの間で通話などの通信を可能とする。
【００１６】
無線発信装置３２は、基地局３１のサービスエリアＡ１よりも狭い独自のサービスエリアＡ２を有し、基地局３１が送受信する無線周波数とは異なる無線周波数で、基地局３１とは独立してサービスエリアＡ２内の携帯端末に対してのみ、位置情報及び所定の情報を送信する機能を有する。
【００１７】
ここで、無線発信装置３２が送信する上記の位置情報は、無線発信装置３２を設置する際に、その設置場所をＧＰＳ又は測量等を利用して正確に測定した設置場所の緯度と軽度の位置情報である。また、無線発信装置３２が送信する上記の所定の情報は、例えば、無線発信装置３２の運営事業者などと契約している店舗等が公開しているインターネット等の通信ネットワークの既存のホームページのアドレス（ＵＲＬ：Ｕｎｉｆｏｒｍ  Ｒｅｓｏｕｒｃｅ  Ｌｏｃａｔｏｒ）などがある。
【００１８】
携帯端末１０ａ及び１０ｂはそれぞれ同一構成で、例えば図２のブロック図に示す構成とされている。同図において、携帯端末は、装置各部を統括的に制御する制御部１１と、電話番号やメールその他各種の入力を行うための入力部１２と、各種の情報が制御部１１の制御の下に書き込まれ、また読み出されるメモリ１３と、表示駆動部１４と、表示駆動部１４により駆動制御される液晶表示素子などにより各種の表示を行う表示部１５と、無線信号の送受信をアンテナ１６を介して行う送受信部１７と、受信部１８と、送受信部１７により送信される信号は変調し、受信された信号は復調するなどの所定の信号処理を行う信号処理部１９と、音声信号とディジタルデータの変換を行う音声処理部２０と、受話音声などを発音するスピーカ２１及び送話音声を収音するマイク２２から構成されている。
【００１９】
図２において、受信部１８と制御部１１の動作以外は、通常の携帯電話機と同様の構成であるので、その詳細な説明は省略する。受信部１８は、図１の無線発信装置３２から送信された無線信号をアンテナ１６を介して受信し、受信した信号を制御部１１に供給する。制御部１１は受信部１８からの受信信号に基づいて、後述する所定の動作を行う。
【００２０】
無線発信装置３２は任意の場所に設置でき、従って、基地局３１のサービスエリアＡ１の外側に設置することもできる。また、無線発信装置３２のサービスエリアＡ２は、ビルの入り口付近や商店街の入り口付近、駅改札等、狭い範囲（数メートル）である。
【００２１】
次に、本実施の形態の動作について説明する。無線発信装置３２は、前記位置情報及び所定の情報を発信し続ける。一方、携帯端末１０ａはサービスエリアＡ１内に在圏しているので、基地局３１を介して相手端末との間で既存の移動体無線通信を行うことはできるが、サービスエリアＡ２の外にいるので、無線発信装置３２が発信する位置情報等は受信できない。
【００２２】
これに対し、携帯端末１０ｂは、サービスエリアＡ１内に在圏しているので、基地局３１を介して相手端末との間で既存の移動体無線通信を行うことができ、しかも無線発信装置３２のサービスエリアＡ２内にも在圏しているので、無線発信装置３２が発信している前記位置情報及び所定の情報を受信できる。携帯端末１０ａが移動してサービスエリアＡ２内に入ったときにも、上記と同様に無線発信装置３２が発信している前記位置情報及び所定の情報を受信できる。
【００２３】
携帯端末１０ｂは、無線発信装置３２が発信している前記位置情報及び所定の情報を、図２に示したアンテナ１６を介して受信部１８で受信すると、受信した信号を制御部１１に供給する。制御部１１は受信部１８からの受信信号が示す、無線発信装置３２の位置情報と所定の情報（ここでは、店舗等のＵＲＬ）をメモリ１３に保存する。上記の位置情報は、前述したように、無線発信装置３２の設置場所を予め測定した極めて正確で詳細な情報である。
【００２４】
また、入力部１２などにより、制御部１１に対して受信ホームページへの自動接続などが予め設定されている場合、又は受信時に設定された場合には、携帯端末１０ｂは、受信した位置情報及びＵＲＬを利用して、例えばインターネットを介してサーバに接続し、受信した位置情報による携帯端末１０ｂの現在位置付近の既存の店舗等のＵＲＬからその店舗等のホームページを検索し、そのホームページから所望の情報を取得することができる。
【００２５】
ここで、本実施の形態では、無線発信装置３２を、基地局３１のサービスエリアＡ１の範囲外に設置することもできるし、ＧＰＳ信号が受信困難な場所（例えば、地下街やビルの谷間など）に設置することもでき、通信ネットワークが接続困難な場所に設置することもできるため、無線発信装置３２のサービスエリアＡ２内に在圏する携帯端末は、従来はＧＰＳ信号を受信できないために正確な位置情報を取得できない場所であっても正確な位置情報を所定の情報と共に受信することができる。
【００２６】
また、本実施の形態では、位置情報及び所定の情報を受信した場所が、基地局やＧＰＳの電波が届かない場所や通信ネットワークがない場所であっても、受信した位置情報及び所定の情報をメモリ１３に保存することで履歴を残し、基地局の電波の届く場所や通信ネットワークが使用できる場所に当該携帯端末が戻った際に、メモリ１３に保存しておいた受信位置情報及び所定の情報を基にＵＲＬを基に行ったホームページ等を参照することも可能であり、また受信位置情報に基づいて行動履歴を確認することもできる。
【００２７】
更に、本実施の形態によれば、無線発信装置３２のサービスエリアＡ２は、ビルの入り口付近や商店街の入り口付近、駅改札等、狭い範囲（数メートル）であるため、携帯端末１０ｂは誤差の小さい位置情報を得ることができる。
【００２８】
次に、本発明の第２の実施の形態について説明する。図３は本発明になる位置情報受信システムの第２の実施の形態の概略システム構成図を示す。同図において、無線発信装置４３は、図１の無線発信装置３２と同一の構成であるが、ＧＰＳ衛星４１からのＧＰＳ信号が遮蔽物４２により遮蔽されて受信ができない範囲に在圏する携帯端末１０に対して、前記位置情報及び所定の情報を送信し続ける。
【００２９】
前述したように、現在、ＧＰＳを利用した位置情報の取得システムは、野外でＧＰＳ衛星４１が見える状態での計測以外では誤差が生じる。また、地下街等、遮蔽物４２があり、明らかにＧＰＳ衛星４１が見えない所では、特に誤差が生じたり位置情報を取得できなかったりする。そこで、本実施の形態では、地下街のビルの合間、屋内等でＧＰＳ衛星４１からのＧＰＳ信号を受信困難で正確な位置情報取得が難しい場合、この無線発生装置４３からの位置情報によって、携帯端末１０は現在の位置の詳細情報を得ることができる。
【００３０】
次に、本発明の第３の実施の形態について説明する。本実施の形態の基本的構成は、図１と同様である。本実施の形態では、無線発信装置３２が位置情報及び所定の情報（店舗のＵＲＬ等の情報）に加えて、店舗の分類（これは店舗がどの業種に属しているかを示す情報で、例えば、食料品、衣料品、雑貨、電化製品等）に使用する識別子も送信する構成とされている。
【００３１】
従って、無線発信装置３２のサービスエリアＡ２内に在圏する携帯端末は、無線発信装置３２から送信された位置情報及び店舗識別子を受信して、位置情報を店舗識別子単位で保存することができる。また、本実施の形態では、携帯端末は多種多用の位置情報が受信されるので、店舗識別子によって履歴に残す／残さないを決定することができる。
【００３２】
次に、本発明の第４の実施の形態に付いて説明する。本実施の形態の基本的構成は、図１と同様である。本実施の形態では、無線発信装置より受信した位置情報及び所定の情報を携帯端末内のメモリに保存して履歴を残しておき、携帯端末がその後に基地局のサービスエリアＡ１などに戻ったときに、後から該当の情報を入手する構成である。
【００３３】
この実施の形態では、山奥等の移動体通信システムの基地局の電波が届かなかったり、電話回線等の回線を引くことができない場所において、無線発信装置を設置し、この無線発信装置のサービスエリア内に携帯端末が入った時に、無線発信装置から位置情報及び所定の情報を送信して受信させ、当該携帯端末のメモリにその受信位置情報及び所定の情報を保存させる。
【００３４】
その後、携帯端末が基地局のサービスエリアＡ１などに戻ったときに、メモリに保存しておいた受信位置情報に対応したＵＲＬのホームページを検索したり、無線発信装置が設置された場所で入手ができなかった所望の情報を入手することができる。また、メモリに保存しておいた受信位置情報に基づき、履歴を得ることができる。
【００３５】
なお、本発明は以上の実施の形態に限定されるものではなく、例えば、無線発信装置３２が位置情報と共に送信する所定の情報としては、位置情報に対応した（関連した）店舗以外の公共施設などの施設の情報でもよい。
【００３６】
【発明の効果】
以上説明したように、本発明によれば、移動体端末が移動体通信システムを構成する基地局とは別に設けられた無線発信装置から送信された位置情報及び所定の情報を受信し、その位置情報及び所定の情報に基づいて、インターネット等の通信ネットワークに接続することにより、通信ネットワークを介して位置情報に関連した所望の情報を取得するようにしたため、既存の移動体通信システムの通信に影響を及ぼすことなく、しかも既存の移動体通信システムを構成する基地局の第１のサービスエリアの範囲外に移動体端末が位置していても、移動体端末は受信した情報に基づいて、通信ネットワークから所望の情報を取得することができる。
【００３７】
また、本発明によれば、無線発信装置を、ＧＰＳ信号が受信困難な場所や、通信ネットワークが接続困難な場所に設置することもできるため、無線発信装置の第２のサービスエリア内に在圏する移動体端末は、従来はＧＰＳ信号を受信できないために正確な位置情報を取得できない場所であっても正確な位置情報を所定の情報と共に受信することができる。
【００３８】
また、本発明によれば、位置情報及び所定の情報を受信した場所が、基地局やＧＰＳの電波が届かない場所や通信ネットワークがない場所であっても、移動体端末が受信した位置情報及び所定の情報を記憶手段に保存することで履歴を残し、基地局の電波の届く場所や通信ネットワークが使用できる場所に当該移動体端末が戻った際に、記憶手段に保存しておいた受信位置情報及び所定の情報を基に所望の情報を通信ネットワークを介して取得することも可能であり、また受信位置情報に基づいて行動履歴を確認することもできる。
【００３９】
更に、本発明によれば、無線発信装置は、位置情報と所定の情報を発信するのみであるので、負荷を考える事無しで無線発信装置を任意の場所に設置することができる。
【００４０】
また、更に、本発明によれば、上記の所定の情報として、位置情報に関連した施設を検索できる通信ネットワークに接続されたホームページのＵＲＬ情報とした場合は、店舗等の施設の情報を通信ネットワークのホームページから取得することができる。
【図面の簡単な説明】
【図１】本発明の第１の実施の形態のシステム構成図である。
【図２】図１中の携帯端末の一実施の形態のブロック図である。
【図３】本発明の第２の実施の形態の概略システム構成図である。
【符号の説明】
１０、１０ａ、１０ｂ  携帯端末
１１  制御部
１３  メモリ
１８  受信部
３１  基地局
３２、４３  無線発信装置
４１  ＧＰＳ衛星
４２  遮蔽物
Ａ１  基地局のサービスエリア
Ａ２  無線発信装置のサービスエリア
【図１】
2005005941.tif 000003
【図２】
2005005941.tif 000004
【図３】
2005005941.tif 000005